Podtech/llm-jp-corpus-v4-ja_patent huggingface dataset:
【手続補正書】
【提出日】平成17年5月26日(2005.5.26)
【手続補正１】
【補正対象書類名】明細書
【補正対象項目名】特許請求の範囲
【補正方法】変更
【補正の内容】
【特許請求の範囲】
【請求項１】
集積回路の製造において粗導電層を製造する方法であって、
反応チャンバに、表面を含む基板アセンブリを用意すること、
該基板アセンブリ表面を約１００℃〜約４００℃の範囲の温度に維持すること、
該反応チャンバの圧力を約０．４ｔｏｒｒ〜約１０ｔｏｒｒの範囲に維持すること、および
該基板アセンブリ表面上に粗ルテニウム層を蒸着するために、約１５℃〜約１００℃の温度に維持したルテニウム含有前駆物質に通して、該反応チャンバに、約１００ｓｃｃｍ〜約５００ｓｃｃｍの流速でキャリアガスを供給すること
とを含む方法。
【請求項２】
集積回路の製造において粗導電層を製造する方法であって、
反応チャンバに、表面を含む基板アセンブリを用意すること、
該反応チャンバに、ルテニウム含有前駆物質を供給すること、および
約１００Å／分〜約５００Å／分の速度で、該基板アセンブリ表面上に粗ルテニウム層を蒸着すること
とを含む方法。
【請求項３】
集積回路の製造において粗導電層を製造する方法であって、
反応チャンバに、表面を含む基板アセンブリを用意すること、
該反応チャンバに、ルテニウム含有前駆物質を供給すること、
該反応チャンバに、酸素含有前駆物質を供給すること、および
約１００Å／分〜１２００Å／分の速度で該基板アセンブリ表面上に粗酸化ルテニウム層を蒸着することを含み、
該粗酸化ルテニウム層のＲＭＳ表面粗さは、約５０Å〜約６００Åの範囲であるか、または該粗酸化ルテニウム層の表面にある粒子の中心断面公称径は、約１００Å〜約８００Åの範囲である方法。
【請求項４】
少なくとも粗ルテニウム層を含む導電性構造体であって、該粗ルテニウム層の表面は、該粗ルテニウム層の表面と実質的に同一形状を有する完全に平滑な面の表面積より、約１．２倍大きい表面積を有する導電性構造体。
【請求項５】
少なくとも粗酸化ルテニウム層を含む導電性構造体であって、該粗酸化ルテニウム層の表面は、該粗酸化ルテニウム層の表面と実質的に同一形状を有する完全に平滑な表面の表面積より、約１．２倍大きい表面積を有する導電性構造体。
【請求項６】
導電性構造体を製造する方法であって、
第１の蒸着速度で非粗ルテニウム含有物質を形成すること、および
該第１の蒸着速度より速い第２の蒸着速度で、該非粗ルテニウム含有物質上に粗ルテニウム含有物質を形成すること
とを含む方法。
【請求項７】
コンデンサを製造するための方法であって、反応チャンバに、少なくとも１つの表面を含む基板アセンブリを用意すること、および該基板アセンブリの少なくとも１つの表面上に電極を形成することとを含む方法であって、該電極の形成は、
該反応チャンバに、ルテニウム含有前駆物質を供給すること、および
約１００Å／分〜約５００Å／分の速度で、該ルテニウム前駆物質から該基板アセンブリの表面上に粗ルテニウム層を蒸着すること
とを含む方法。
【請求項８】
コンデンサを製造するための方法であって、反応チャンバに、少なくとも１つの表面を含む基板アセンブリを用意すること、および該基板アセンブリの少なくとも１つの表面上に電極を形成することとを含む方法であって、該電極の形成は、
該反応チャンバに、ルテニウム含有前駆物質を供給すること、
該反応チャンバに、酸素含有前駆物質を供給すること、および
約１００Å〜約１２００Åの速度で該基板アセンブリの表面上に粗酸化ルテニウム層を蒸着することを含み、かつ
該粗酸化ルテニウム層のＲＭＳ粗さは、約５０Å〜約６００Åの範囲であるか、または該粗酸化ルテニウム層の表面における粒子の中心断面公称径は、約１００Å〜約８００Åの範囲である方法。
【請求項９】
少なくとも粗ルテニウム層（該粗ルテニウム層の表面は、該粗ルテニウム層の表面と実質的に同一形状を有する完全に平滑な表面の表面積より約１．２倍大きい表面積を有する）から形成される第１の電極、
該第１の電極の少なくとも一部の上に形成される誘電層、および
該誘電層上に形成される第２の導電層
とを含むコンデンサ構造体。
【請求項１０】
少なくとも粗酸化ルテニウム層（該粗酸化ルテニウム層の表面は、該粗酸化ルテニウム層の表面と実質的に同一形状を有する完全に平滑な表面の表面積より約１．２倍大きい表面積を有する）から形成される第１の電極、
該第１の電極の少なくとも一部の上に形成される誘電層、および
該誘電層上に形成される第２の導電層
とを含むコンデンサ構造体。
【手続補正書】
【提出日】平成17年12月28日(2005.12.28)
【手続補正１】
【補正対象書類名】明細書
【補正対象項目名】特許請求の範囲
【補正方法】変更
【補正の内容】
【特許請求の範囲】
【請求項１】  活性なγ1３４．５遺伝子産物を発現することができず且つ発現可能なサイトカインをコードするＤＮＡを含む組換え単純ヘルペスウイルス。
【請求項２】  前記のγ1３４．５遺伝子の全部又は部分を欠失している、請求項１に記載の組換え単純ヘルペスウイルス。
【請求項３】  前記のサイトカインをコードするＤＮＡを、ＩＬ−１−、ＩＬ−２−、ＩＬ−４−、ＩＬ−５−、ＩＬ−６−、ＩＬ−７−、ＩＬ−１０−、ガンマインターフェロン−、及び腫瘍壊死因子αをコードするＤＮＡよりなる群から選択する、請求項１に記載の組換え単純ヘルペスウイルス。
【請求項４】  コード配列の一部の欠失を有するγ1３４．５遺伝子を含み、該欠失が、該γ1３４．５遺伝子のＢｓｔＥＩＩ−ＳｔｕＩ断片を含む、請求項３に記載の組換え単純ヘルペスウイルス。
【請求項５】  ＢｓｔＥＩＩ部位に終止コドンを有するγ1３４．５遺伝子を含む、請求項１に記載の組換え単純ヘルペスウイルス。
【請求項６】  前記のサイトカインをコードするＤＮＡを、ＩＬ−１−、ＩＬ−２−、ＩＬ−４−、ＩＬ−５−、ＩＬ−６−、ＩＬ−７−、ＩＬ−１０−、ガンマインターフェロン−、及び腫瘍壊死因子αをコードするＤＮＡよりなるＤＮＡの群から選択する、請求項５に記載の組換え単純ヘルペスウイルス。
【請求項７】  前記の発現可能なサイトカインをコードするＤＮＡが、単純ヘルペスウイルス遺伝子プロモーターのプロモーター調節制御下にある、請求項１に記載の組換え単純ヘルペスウイルス。
【請求項８】  前記の単純ヘルペスウイルス遺伝子プロモーターが、ＥＧＲ−１プロモーターである、請求項７に記載の組換え単純ヘルペスウイルス。
【請求項９】  前記のサイトカインをコードするＤＮＡが、合成の単純ヘルペスウイルス由来のプロモーターのプロモーター調節制御下にある、請求項１に記載の組換え単純ヘルペスウイルス。
【請求項１０】  前記の合成の単純ヘルペスウイルス由来のプロモーターが、単純ヘルペスウイルスα遺伝子プロモーター断片を単純ヘルペスウイルスγ遺伝子プロモーター断片の５’側に機能的に結合して含む、請求項９に記載の組換え単純ヘルペスウイルス。
【請求項１１】  前記のα遺伝子プロモーター断片がα４遺伝子の転写開始部位の上流のプロモーター配列を含み且つ、前記のγ遺伝子プロモーター断片がγ1ＵL１９遺伝子の転写開始部位及び転写される５’非コード配列を含む、請求項１０に記載の組換え単純ヘルペスウイルス。
【請求項１２】  前記のγ1３４．５遺伝子を、前記の発現可能なサイトカインをコードするＤＮＡによって置き換えた、請求項１に記載の組換え単純ヘルペスウイルス。
【請求項１３】  前記のウイルスが、前記のサイトカインをコードするＤＮＡの２コピー以上を含む、請求項１に記載の組換え単純ヘルペスウイルス。
【請求項１４】  ＩＬ−４をコードするＤＮＡを含み且つγ1３４．５遺伝子を欠く、組換え１型単純ヘルペスウイルス。
【請求項１５】  前記のＩＬ−４をコードするＤＮＡが、前記のγ1３４．５遺伝子に置き換わっている、請求項１４に記載の組換え１型単純ヘルペスウイルス。
【請求項１６】  前記のＩＬ−４ＤＮＡをコードするＤＮＡが、ＥＧＲ−１プロモーターのプロモーター調節制御下にある、請求項１４に記載の組換え１型単純ヘルペスウイルス。
【請求項１７】  前記のＩＬ−４をコードするｃＤＮＡが、更に、ポリアデニル化シグナルを含む、請求項１３に記載の組換えウイルス。
【請求項１８】  前記のポリアデニル化シグナルが、Ｂ型肝炎ウイルス由来のポリアデニル化シグナルである、請求項１４に記載の組換えウイルス。
【請求項１９】  標的の腫瘍に投与することにより中枢神経系の新生物疾患を治療するための医薬であって、該医薬が、活性なγ1３４．５遺伝子産物を発現できず且つ発現可能なサイトカインをコードするＤＮＡを含む組換え単純ヘルペスウイルスを含むことを特徴とする、当該医薬。
【請求項２０】  前記の組換え単純ヘルペスウイルスが、γ1３４．５遺伝子の全部又は部分を欠いている、請求項１９に記載の医薬。
【請求項２１】  前記のサイトカインをコードするＤＮＡを、ＩＬ−１−、ＩＬ−２−、ＩＬ−４−、ＩＬ−５−、ＩＬ−６−、ＩＬ−７−、ＩＬ−１０−、ガンマインターフェロン−、及び腫瘍壊死因子αをコードするＤＮＡよりなるＤＮＡの群から選択する、請求項２０に記載の医薬。
【請求項２２】  前記の組換え単純ヘルペスウイルスが、ＢｓｔＥＩＩ部位に終止コドンを有するγ1３４．５遺伝子を含む、請求項１９に記載の医薬。
【請求項２３】  前記のサイトカインをコードするＤＮＡを、ＩＬ−１−、ＩＬ−２−、ＩＬ−４−、ＩＬ−５−、ＩＬ−６−、ＩＬ−７−、ＩＬ−１０−、ガンマインターフェロン−、及び腫瘍壊死因子αをコードするＤＮＡよりなるＤＮＡの群から選択する、請求項２２に記載の医薬。
【請求項２４】  前記の組換え単純ヘルペスウイルスが、γ1３４．５遺伝子のＢｓｔＥＩＩ／ＳｔｕＩ制限断片に対応するコード配列の一部を欠くγ1３４．５遺伝子を含む、請求項１９に記載の医薬。
【請求項２５】  前記の発現可能なサイトカインをコードするＤＮＡが、単純ヘルペスウイルス遺伝子プロモーターのプロモーター調節制御下にある、請求項１９に記載の医薬。
【請求項２６】  前記の単純ヘルペスウイルスプロモーターが、ＥＧＲ−１プロモーターである、請求項２３に記載の医薬。
【請求項２７】  前記のサイトカインをコードするＤＮＡが、合成の単純ヘルペスウイルス由来のプロモーターのプロモーター調節制御下にある、請求項１９に記載の医薬。
【請求項２８】  前記の合成の単純ヘルペスウイルス由来のプロモーターが、単純ヘルペスウイルスα遺伝子断片を単純ヘルペスウイルスγ遺伝子プロモーター断片の５’側に機能的に結合して含む、請求項２７に記載の医薬。
【請求項２９】  前記のα遺伝子プロモーター断片が、該α遺伝子プロモーター断片の転写開始部位の上流のプロモーター配列を含み、γ1ＵL１９遺伝子の転写開始部位及び転写される５’非コード配列を含む、請求項２８に記載の医薬。
【請求項３０】  前記のγ1３４．５遺伝子を、前記の発現可能なサイトカインをコードするＤＮＡにより置き換えた、請求項２０に記載の医薬。
【請求項３１】  製薬上許容し得るキャリアー、希釈剤又はアジュバント中に、γ1３４．５遺伝子産物を発現できない組換え単純ヘルペスウイルスを含み、該ウイルスが発現可能なサイトカインをコードする医薬組成物。
【請求項３２】  製薬上許容し得るキャリアー、希釈剤又はアジュバント中に、ＩＬ−４をコードする２コピーのｃＤＮＡを含む１型単純ヘルペスウイルスゲノムを含み、各々が、単純ヘルペスウイルスＥＧＲ−１プロモーターのプロモーター調節制御下にあり且つ各々が、その３’末端にＢ型肝炎ウイルスのポリアデニル化シグナルを有し、該ＩＬ−４をコードするｃＤＮＡが該ウイルスゲノム中のウイルス性γ1３４．５遺伝子に置き換わっている医薬組成物。
【手続補正書】
【提出日】平成15年10月28日(2003.10.28)
【手続補正１】
【補正対象書類名】明細書
【補正対象項目名】特許請求の範囲
【補正方法】変更
【補正の内容】
【特許請求の範囲】
【請求項１】  ギャバペンチンを含んで成る医薬組成物であって、最初に０．５重量％未満の対応するラクタムを含み且つ６．８〜７．３の範囲においてpHを有し、それは、２５℃且つ６０％の湿度での１年間の保存の後、ギャバペンチンのその対応するラクタムへの転化率が、ギャバペンチンの重量の０．２％を超えない医薬組成物。
【請求項２】  pHが７．０〜７．２の範囲内である、請求項１に記載の医薬組成物。
【請求項３】  更に１つ以上のアジュバントを含んで成る、請求項１に記載の医薬組成物。
【請求項４】  前記アジュバントが、修飾トウモロコシデンプン、ナトリウムクロスカルメロース、グリセロールベヘン酸エステル、メタクリル酸共重合体（Ａ型及びＣ型）、陰イオン交換体、二酸化チタン、Ａｅｒｏｓｉｌ２００のようなシリカゲル、ヒドロキシプロピルメチルセルロース、ポリビニルピロリドン、クロスポビドン、ポロキサマー４０７、ポロキサマー１８８、ナトリウムデンプングリコレート、コポリビドン、トウモロコシデンプン、シクロデキストリン、ラクトース、タルク、ジメチルアミノメタクリル酸及び天然のメタクリル酸エステルの共重合体からなる群から選択されている、請求項３に記載の医薬組成物。
【請求項５】  ０．５％未満の対応するラクラム、及び１００ppm 未満の無機酸の陰イオンを含み、６．８〜７．３のpHを有し、そして２５℃且つ６０％の相対湿度での１年後、ギャバペンチンのその対応するラクタムへの転化率がギャバペンチンの重量の０．２％を超えない、ギャバペンチン。
【請求項６】  ギャバペンチンを含んで成り、そして最初に０．５重量％未満の対応するラクタムを含み且つ無機酸の陰イオンを２０ppm 超有する医薬組成物であって、それは、２５℃且つ６０％の湿度での１年間の保存の後、ギャバペンチンのその対応するラクタムへの転化率が、ギャバペンチンの重量の０．２％を超えない医薬組成物。
【請求項７】  更に１つ以上のアジュバントを含んで成る、請求項６に記載の医薬組成物。
【請求項８】  １つ以上のアジュバントが、修飾トウモロコシデンプン、グリセロールベヘン酸エステル、ナトリウムクロスカルメロース、メタクリル酸共重合体（Ａ型及びＣ型）、陰イオン交換体、二酸化チタン、Ａｅｒｏｓｉｌ２００のようなシリカゲル、ヒドロキシプロピルメチルセルロース、ポリビニルピロリドン、クロスポビドン、ポロキサマー４０７、ポロキサマー１８８、ナトリウムデンプングリコレート、コポリビドン、トウモロコシデンプン、シクロデキストリン、ラクトース、タルク、ジメチルアミノメタクリル酸及び天然のメタクリル酸エステルの共重合体からなる群から選択されている、請求項７に記載の医薬組成物。
【請求項９】  前記無機酸の陰イオンがハロゲン化物である、請求項６に記載の医薬組成物。
【請求項１０】  前記無機酸の陰イオンの量が１００ppmを超えない、請求項６に記載の医薬組成物。
【請求項１１】  ０．５％未満の対応するラクラム、及び２０〜１００ppm の無機酸の陰イオンを含み、そしてそれは、２５℃且つ６０％の湿度での１年間の保存の後、ギャバペンチンのその対応するラクタムへの転化率がギャバペンチンの重量の０．２％を超えない、ギャバペンチン。
【請求項１２】  ギャバペンチン及び１つ以上のアジュバントを含んで成り、そして最初に０．５重量％未満の対応するラクタムを含み且つ２０ppm超の塩化物を有する医薬組成物であって、それは、２５℃且つ６０％の湿度での１年間の保存の後、ギャバペンチンのその対応するラクタムへの転化率がギャバペンチンの重量の０．２％を超えない、医薬組成物。
【手続補正書】
【提出日】平成18年10月6日(2006.10.6)
【手続補正１】
【補正対象書類名】明細書
【補正対象項目名】特許請求の範囲
【補正方法】変更
【補正の内容】
【特許請求の範囲】
【請求項１】  独立式サンプリング／試験デバイスであって、該デバイスは、以下：
ａ．サンプルから標的物質を収集するためのサンプラー；および
ｂ．色素を含むシグナル発生器であって、該色素は該標的物質に結合し、該標的物質の存在をシグナル伝達するシグナル発生器、
を備え、
ここで、該サンプラーは、吸収材料を含み、該吸収パッドの表面に膜が配置され、該膜に該色素が共有結合または非共有結合のいずれかで結合している、デバイス。
【請求項２】  独立式サンプリング／試験デバイスであって、該デバイスは、以下：
ａ．サンプルから標的物質を収集するためのサンプラー；および
ｂ．色素を含むシグナル発生器であって、該色素は該標的物質に結合し、該標的物質の存在をシグナル伝達する、シグナル発生器、
を備え、
ここで、該サンプラーは、吸収パッドを備え、該吸収パッドは、その表面に共有結合または非共有結合のいずれかで直接結合した該色素を有する、デバイス。
【請求項３】  前記色素は、タンパク質結合色素である、請求項１または２に記載のデバイス。
【請求項４】  前記標的物質は、タンパク質である、請求項１または２に記載のデバイス。
【請求項５】  請求項１または２に記載のデバイスであって、吸収材料および湿潤／中和溶液を含む別個の試薬ハウジングをさらに備える、デバイス。
【請求項６】  請求項１または２に記載のデバイスであって、前記吸収パッドは、湿潤／中和溶液で予め湿らされる、デバイス。
【請求項７】  前記中和溶液は、前記標的物質に対する前記色素の結合を妨害し得る、前記サンプル中の任意の化合物を中和するための中和剤をさらに含む、請求項６に記載のデバイス。
【請求項８】  前記中和剤は、チオ硫酸ナトリウム、ＭｇＣｌ２、ドデシル硫酸ナトリウム、テルギトール、ポリエチレングリコール  Ｐ−１，１，３，３，−テトラメチルブチルフェニルエーテル、およびポリソルベート２０からなる群から選択される、請求項７に記載のデバイス。
【請求項９】  前記色素は、タンパク質エラーファミリーの振動数シフト色素である、請求項１または２に記載のデバイス。
【請求項１０】  前記色素は、ブロモフェノールブルーである、請求項９に記載のデバイス。
【請求項１１】  独立式サンプリング／試験デバイスであって、該デバイスは、以下：
（ａ）サンプルから生物学的標的物質を収集するためのサンプラー；および
（ｂ）タンパク質エラーファミリーの振動数シフト色素を含むシグナル発生器であって、該色素は、該生物学的標的物質に結合し得、そして該標的物質に結合すると色変化を生じ得、ここで未結合の振動数シフト色素は、標的物質の存在を検出するために、生物学的標的から結合した振動数シフト色素を分離する必要はない、シグナル発生器
を備え、ここで、該サンプラーは吸収パッドを備え、該吸収パッドの表面に膜が配置され、該膜に、該色素が共有結合または非共有結合のいずれかで結合している、デバイス。
【請求項１２】  湿潤剤を含む別個の試薬ハウジングをさらに含む、請求項１１に記載のデバイス。
【請求項１３】  前記色素は、ブロモフェノールブルーである、請求項１１に記載のデバイス。
【請求項１４】  湿潤溶液を含む別個の試薬ハウジングをさらに含む、請求項１１に記載のデバイスであって、該溶液は、チオ硫酸ナトリウム、ＭｇＣｌ２、ドデシル硫酸ナトリウム、テルギトール、ポリエチレングリコール  Ｐ−１，１，３，３，−テトラメチルブチルフェニルエーテル、およびポリソルベート２０からなる群から選択される中和剤を含む、デバイス。
【誤訳訂正書】
【提出日】平成18年4月3日(2006.4.3)
【誤訳訂正１】
【訂正対象書類名】明細書
【訂正対象項目名】特許請求の範囲
【訂正方法】変更
【訂正の内容】
【特許請求の範囲】
【請求項１】  実質的に以下の表：
【表１】
2004505087.tif 000001
に定める主ピークをもつ粉末Ｘ線回折（ＰＸＲＤ）パターンをもつ１−｛６−エトキシ−５−〔３−エチル−６，７−ジヒドロ−２−（２−メトキシエチル）−７−オキソ−２Ｈ−ピラゾロ〔４，３−ｄ〕ピリミジン−５−イル〕−３−ピリジルスルホニル｝−４−エチルピペラジンの多形体であって、上記ＰＸＲＤパターンが、１．５４１７８オングストロームの波長をもつカパ−Ｋ−アルファ１  Ｘ線を使用して生成される、前記多形体。
【誤訳訂正２】
【訂正対象書類名】明細書
【訂正対象項目名】０００９
【訂正方法】変更
【訂正の内容】
【０００９】
（１％を上廻る強度に関して、表１中で報告された）シミュレートされた粉末Ｘ線回折（ＰＸＲＤ）パターンを、０．５  Ｐｏｌａｒｉｓａｔｉｏｎ係数を用いて、かつ、単色計を用いず、Ｒａｄｉａｔｉｏｎ＝１．５４１７８Åを使用したＣｅｒｉｕｓ2 Ｄｉｆｆｒａｃｔｉｏｎ−Ｃｒｙｓｔａｌ  Ｍｏｄｕｌｅを用いて単一結晶データから作成した。結晶サイズは、Ｌｏｒｅｎｔｚｉａｎピーク形状をもって、５００×５００×５００であると測定された。回折ピークは、２〜５５°の２−シータ角範囲にわたり、シミュレートされた。
【誤訳訂正３】
【訂正対象書類名】明細書
【訂正対象項目名】００１０
【訂正方法】変更
【訂正の内容】
【００１０】
結晶学的計算（強度計算）は、ＳＨＥＬＸＴＬシステム（G.M. Sheldrick, SHELXTL, User Manual, Nicolet Instrument Co., 1981）の使用により、容易化された。最終Ｒ−係数は４．６０％であった。
上記シミュレートされたＰＸＲＤパターンの（角度θにおける）主ピークを以下の表１に示す。主ピークとは、本明細書中に定義するとき、１％を上廻る強度をもつもの全てである。
【表２】
2004505087.tif 000002
【手続補正書】
【提出日】平成18年3月3日(2006.3.3)
【手続補正１】
【補正対象書類名】特許請求の範囲
【補正対象項目名】全文
【補正方法】変更
【補正の内容】
【特許請求の範囲】
【請求項１】
アポフォールディング状態のα−ラクトアルブミンもしくはα−ラクトアルブミンの変異体、または、これらいずれかの断片、および、複合体を生物学的に活性な型で安定化する補因子を含み、上記α−ラクトアルブミンまたはそれらの変異体の断片はいずれも、α−ラクトアルブミンのαドメインとβドメインとの境界面を形成する領域に対応する領域を含み、さらに、複合体が、全長α−ラクトアルブミン、または、カルシウム結合部位が、カルシウムに対する親和性が減少するように、もしくは、機能しないように改変されたα−ラクトアルブミン変異体を含む場合、前記補因子はＣ１８：１：９シス型脂肪酸以外である、生物学的に活性な複合体。
【請求項２】
補因子は、Ｃ１８：１：９シス型もしくはＣ１８：１：１１シス型脂肪酸、または、構造が類似した異なる脂肪酸である、請求項１に記載の複合体。
【請求項３】
補因子は、Ｃ１８：１：１１脂肪酸である、請求項１または２に記載の複合体。
【請求項４】
α−ラクトアルブミンまたはそれらの変異体の断片を含み、前記断片は、α−ラクトアルブミンのαドメインとβドメインとの境界面を形成する領域に対応する領域を含む、請求項１〜３のいずれか一項に記載の複合体。
【請求項５】
（ｉ）Ｃ１８：１：９シス型もしくはＣ１８：１：１１シス型脂肪酸、または、構造が類似した異なる脂肪酸；および、
（ii）カルシウムイオンが除去されたα−ラクトアルブミン、または、カルシウムイオンが除去されたα−ラクトアルブミン変異体もしくは機能的なカルシウム結合部位を有さないα−ラクトアルブミン変異体；または、これらいずれかの断片とを組み合わせることにより得ることができ、前記断片はいずれも、α−ラクトアルブミンのαドメインとβドメインとの境界面を形成する領域に対応する領域を含み、さらに、（ii）が全長α−ラクトアルブミンの場合、または、カルシウム結合部位が改変されているためカルシウムに対する親和性が減少しているか、もしくは機能しないα−ラクトアルブミン変異体である場合、（ｉ）はＣ１８：１：９シス型脂肪酸以外である、請求項１に記載の生物学的に活性
な複合体。
【請求項６】
カルシウム結合部位が改変されているためカルシウムに対する親和性が減少しているか、または機能しないα−ラクトアルブミン変異体を含み、前記補因子は、Ｃ１８：１：１１脂肪酸である、請求項１〜５のいずれか一項に記載の複合体。
【請求項７】
変異体は、Ｋ７９、Ｄ８２、Ｄ８４、Ｄ８７またはＤ８８残基の少なくとも１つに対応する位置に変異を有する、請求項６に記載の複合体。
【請求項８】
α−ラクトアルブミンのＤ８７Ａ、または、Ｄ８７Ｎ変異体を含む、請求項７に記載の複合体。
【請求項９】
α−ラクトアルブミンまたはそれらの変異体の断片を含み、前記断片は、天然型タンパク質のアミノ酸３４〜８６の全領域を含む、請求項１〜８のいずれか一項に記載の複合体。
【請求項１０】
α−ラクトアルブミンは、ヒトもしくはウシα−ラクトアルブミン、または、これらいずれかの変異体である、請求項１〜９のいずれか一項に記載の複合体。
【請求項１１】
α−ラクトアルブミンは、ヒトα−ラクトアルブミンである、請求項１０に記載の複合体。
【請求項１２】
α−ラクトアルブミンは、Ｓ７０Ｒ変異を含むウシα−ラクトアルブミン変異体である、請求項１０に記載の複合体。
【請求項１３】
カルシウムイオンをさらに含む、請求項１〜１２のいずれか一項に記載の複合体。
【請求項１４】
製薬上許容できるキャリアーと組み合わせて、請求項１〜１３のいずれか一項に記載の複合体を含む医薬組成物。
【請求項１５】
請求項１〜１３のいずれか一項に記載の複合体、または、請求項１４に記載の組成物を含む、ガンの治療のための医薬。
【請求項１６】
請求項１〜１３のいずれか一項に記載の複合体、または、請求項１４に記載の組成物を含む、細菌感染の治療のための医薬。
【請求項１７】
ガンの治療用医薬を製造するための、請求項１〜１３のいずれか一項に記載の複合体、または、請求項１４に記載の組成物の使用。
【請求項１８】
細菌感染の治療用医薬を製造するための、請求項１〜１３のいずれか一項に記載の複合体、または、請求項１４に記載の組成物の使用。
【手続補正２】
【補正対象書類名】明細書
【補正対象項目名】０００５
【補正方法】削除
【補正の内容】
【手続補正書】
【提出日】平成17年9月5日(2005.9.5)
【手続補正１】
【補正対象書類名】特許請求の範囲
【補正対象項目名】全文
【補正方法】変更
【補正の内容】
【特許請求の範囲】
【請求項１】
哺乳動物での癌の治療方法であって、哺乳動物の癌の治療に有効な量において、ＩＬ−２１ポリペプチド、変異体、又はそれらのいずれかのフラグメントを、癌に罹患した哺乳動物に投与することを含む方法。
【請求項２】
哺乳動物での癌の治療方法であって、哺乳動物の癌の治療に有効な量において、ＩＬ−２１ポリヌクレオチド又はそのフラグメントを、癌に罹患した哺乳動物に投与することを含む方法。
【請求項３】
哺乳動物での癌の治療方法であって、哺乳動物の癌の治療に有効な量において、ＩＬ−２１ポリヌクレオチド又はそのフラグメントを含む発現ベクターを、癌に罹患した哺乳動物に投与することを含む方法。
【請求項４】
発現ベクターはｐＯＲＦである、請求項３に記載の方法。
【請求項５】
癌は黒色腫である、請求項１、２、３、又は４に記載の方法。
【請求項６】
癌は肉腫である、請求項１、２、３、又は４に記載の方法。
【請求項７】
癌は結腸癌である、請求項１、２、３、又は４に記載の方法。
【請求項８】
ＩＬ−２１ポリペプチド、変異体、又はそれらのいずれかのフラグメントを、ワクチン、抗原特異的Ｔリンパ球、サイトカイン、又はそれらの組合せと共投与する、請求項１に記載の方法。
【請求項９】
ＩＬ−２１ポリヌクレオチド又はそのフラグメントを、ワクチン、抗原特異的Ｔリンパ球、サイトカイン、又はそれらの組合せと共投与する、請求項２に記載の方法。
【請求項１０】
発現ベクターを、ワクチン、抗原特異的Ｔリンパ球、サイトカイン、又はそれらの組合せと共投与する、請求項３に記載の方法。
【請求項１１】
ワクチンは、組換えウイルスワクチン又はペプチドワクチンである、請求項８、９、又は１０に記載の方法。
【請求項１２】
サイトカインは、ＩＬ−２、ＩＬ−７、又はＩＬ−１５である、請求項８、９、又は１０に記載の方法。
【請求項１３】
抗原特異的Ｔリンパ球は、腫瘍特異的Ｔリンパ球である、請求項８、９、又は１０に記載の方法。
【請求項１４】
哺乳動物での免疫関連疾患の治療方法であって、哺乳動物の免疫関連疾患の治療に有効な量において、ＩＬ−２１ポリペプチド、変異体、又はそれらのいずれかのフラグメントを、免疫関連疾患に罹患した哺乳動物に投与することを含む方法。
【請求項１５】
哺乳動物での免疫関連疾患の治療方法であって、哺乳動物の免疫関連疾患の治療に有効な量において、ＩＬ−２１ポリヌクレオチド又はそのフラグメントを、免疫関連疾患に罹患した哺乳動物に投与することを含む方法。
【請求項１６】
哺乳動物での免疫関連疾患の治療方法であって、哺乳動物の免疫関連疾患の治療に有効な量において、ＩＬ−２１ポリヌクレオチド又はそのフラグメントを含む発現ベクターを、免疫関連疾患に罹患した哺乳動物に投与することを含む方法。
【請求項１７】
発現ベクターはｐＯＲＦである、請求項１６に記載の方法。
【請求項１８】
哺乳動物での癌の予防方法であって、哺乳動物の癌の予防に有効な量において、ＩＬ−２１ポリペプチド、変異体、又はそれらのいずれかのフラグメントを、哺乳動物に投与することを含む方法。
【請求項１９】
哺乳動物での癌の予防方法であって、哺乳動物の癌の予防に有効な量において、ＩＬ−２１ポリヌクレオチド又はそのフラグメントを、哺乳動物に投与することを含む方法。
【請求項２０】
哺乳動物での癌の予防方法であって、哺乳動物の癌の予防に有効な量において、ＩＬ−２１ポリヌクレオチド又はそのフラグメントを含む発現ベクターを、哺乳動物に投与することを含む方法。
【請求項２１】
発現ベクターはｐＯＲＦである、請求項２０に記載の方法。
【請求項２２】
癌は黒色腫である、請求項１８、１９、２０、又は２１に記載の方法。
【請求項２３】
癌は肉腫である、請求項１８、１９、２０、又は２１に記載の方法。
【請求項２４】
癌は結腸癌である、請求項１８、１９、２０、又は２１に記載の方法。
【請求項２５】
ＩＬ−２１ポリペプチド、変異体、又はそれらのいずれかのフラグメントを、ワクチン、抗原特異的Ｔリンパ球、サイトカイン、又はそれらの組合せと共投与する、請求項１８に記載の方法。
【請求項２６】
ＩＬ−２１ポリヌクレオチド又はそのフラグメントを、ワクチン、抗原特異的Ｔリンパ球、サイトカイン、又はそれらの組合せと共投与する、請求項１９に記載の方法。
【請求項２７】
発現ベクターを、ワクチン、抗原特異的Ｔリンパ球、サイトカイン、又はそれらの組合せと共投与する、請求項２０に記載の方法。
【請求項２８】
ワクチンは、組換えウイルスワクチン又はペプチドワクチンである、請求項２５、２６、又は２７に記載の方法。
【請求項２９】
サイトカインは、ＩＬ−２、ＩＬ−７、又はＩＬ−１５である、請求項２５、２６、又は２７に記載の方法。
【請求項３０】
抗原特異的Ｔリンパ球は、腫瘍特異的Ｔリンパ球である、請求項２５、２６、又は２７に記載の方法。
【請求項３１】
ＩＬ−２１ポリペプチド、その変異体、又はそれらのいずれかのフラグメント、及び医薬として許容できる担体、希釈剤、又は賦形剤を含有する医薬組成物。
【請求項３２】
ＩＬ−２１核酸分子、又はそのフラグメント、及び医薬として許容できる担体、希釈剤、又は賦形剤を含有する医薬組成物。
【請求項３３】
ＩＬ−２１核酸分子は、発現ベクター中に構築されている、請求項３１に記載の医薬組成物。
【請求項３４】
発現ベクターはｐＯＲＦである、請求項３２に記載の医薬組成物。
【請求項３５】
ワクチン、抗原特異的Ｔリンパ球、サイトカイン、又はそれらの組合せを更に含有する、請求項２９又は３０に記載の医薬組成物。
【請求項３６】
ワクチンは、組換えウイルスワクチン又はペプチドワクチンである、請求項３３に記載の医薬組成物。
【請求項３７】
サイトカインは、ＩＬ−２、ＩＬ−７、又はＩＬ−１５である、請求項３３に記載の医薬組成物。
【請求項３８】
抗原特異的Ｔリンパ球は、腫瘍特異的Ｔリンパ球である、請求項３３に記載の医薬組成物。
【請求項３９】
ナチュラルキラー（ＮＫ）細胞のアポトーシスを誘導するためのインビトロ方法であって、ナチュラルキラー（ＮＫ）細胞のアポトーシスの誘導に有効な量のＩＬ−２１ポリペプチド、変異体、又はそれらのいずれかのフラグメント、あるいはＩＬ−２１ポリヌクレオチド、又はそのフラグメントにＮＫ細胞を接触させることを含む、方法。
【請求項４０】
ＮＫ細胞の細胞溶解活性を活性化するためのインビトロ方法であって、ＮＫ細胞の細胞溶解活性の活性化に有効な量のＩＬ−２１ポリペプチド、変異体、又はそれらのいずれかのフラグメント、あるいはＩＬ−２１ポリヌクレオチド、又はそのフラグメントにＮＫ細胞を接触させることを含む、方法。
【請求項４１】
ＮＫ細胞のアポトーシスを誘導するための医薬の製造のための、ＩＬ−２１ポリペプチド、変異体、又はそれらのいずれかのフラグメント、あるいはＩＬ−２１ポリヌクレオチド、又はそのフラグメントの使用。
【請求項４２】
ＮＫ細胞の細胞溶解活性を活性化するための医薬の製造のための、ＩＬ−２１ポリペプチド、変異体、又はそれらのいずれかのフラグメント、あるいはＩＬ−２１ポリヌクレオチド、又はそのフラグメントの使用。
【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
GLP-1化合物を有効量で含有する、胃不全麻痺に罹患した患者を治療するための医薬組成物。
【請求項２】
該患者が糖尿病にも罹患している請求項１に記載の医薬組成物。
【請求項３】
該患者が２型糖尿病に罹患している、請求項２に記載の医薬組成物。
【請求項４】
GLP-1化合物がGLP-1(7-36)アミド、GLP-1(7-37)、GLP-1アナログおよびGLP-1誘導体からなる群から選択される、請求項１〜３のいずれか１項に記載の医薬組成物。
【請求項５】
GLP-1化合物がExendin-4、Exendin-4アナログおよびExendin-4誘導体からなる群から選択される、請求項１〜３のいずれか１項に記載の医薬組成物。
【請求項６】
GLP-1化合物がGLP-1レセプターのアゴニストである、請求項１〜３のいずれか１項に記載の医薬組成物。
【請求項７】
GLP-1化合物がDPP-IV耐性アナログである、請求項１〜３のいずれか１項に記載の医薬組成物。
【請求項８】
GLP-1化合物が22位にグルタミン酸を有するGLP-1アナログまたは誘導体である、請求項７に記載の医薬組成物。
【請求項９】
GLP-1化合物が８位にバリンまたはグリシンを有するGLP-1アナログである、請求項７に記載の医薬組成物。
【請求項１０】
GLP-1化合物がGLP-1誘導体である、請求項１〜３のいずれか１項に記載の医薬組成物。
【請求項１１】
GLP-1誘導体がアシル化GLP-1アナログである、請求項１０に記載の医薬組成物。
【請求項１２】
GLP-1誘導体がArg34Lys26-(N-ε-(γ-Glu(N-α-ヘキサデカノイル)))-GLP-1(7-37)である、請求項１１に記載の医薬組成物。
【請求項１３】
GLP-1化合物の皮下注射投与に用いるための、請求項１〜１２のいずれか１項に記載の医薬組成物。
【請求項１４】
GLP-1化合物の経口投与に用いるための、請求項１〜１２のいずれか１項に記載の医薬組成物。
【請求項１５】
GLP-1化合物の口腔内投与に用いるための、請求項１〜１２のいずれか１項に記載の医薬組成物。
【手続補正２】
【補正対象書類名】明細書
【補正対象項目名】００２０
【補正方法】変更
【補正の内容】
【００２０】
生物学的に活性な形態のネイティブなGLP-1は、GLP-1(7-37)OHおよびGLP-1(7-36)アミドとして公知の２種の短縮型ペプチドである。これら２つの天然に存在する短縮型GLP-1ペプチドは式Ｉ配列番号１に表されている。
【数１】
2005530732.tif 000001
（配列中、37位のXaaはGlyまたは-NH2である。）
【手続補正書】
【提出日】平成18年4月17日(2006.4.17)
【手続補正１】
【補正対象書類名】特許請求の範囲
【補正対象項目名】全文
【補正方法】変更
【補正の内容】
【特許請求の範囲】
【請求項１】
患者の壊死性腸炎を治療または予防するための薬学的組成物の調製用の一酸化炭素の使用法。
【請求項２】
薬学的組成物が、経口的に、吸入によって、または患者の腹腔への直接投与によって患者に投与される、請求項1記載の使用法。
【請求項３】
患者が乳児もしくは早産児であるか、または患者が、低出生体重、低酸素状態、低体温状態、低血圧状態、血液の過粘稠度状態もしくはアシドーシスを示すか、または患者が、交換輸血、少なくとも1種の高浸透圧の輸液、濃縮赤血球の輸血もしくはカルシウム拮抗薬の過剰投与を受けているか、または患者が、腸間膜の虚血もしくは腸壁の細菌感染を生じているか、または患者が、外科手術を経験している、外科手術を受けようとしている、もしくは外科手術を受けている、請求項1または2記載の使用法
【請求項４】
壊死性腸炎を治療する過程が、経静脈栄養補給、経静脈水分補給、少なくとも1つの抗菌剤、患者に対する経鼻胃管による減圧術、患者に対する外科手術、および患者の腹膜腔の排液からなる群より選択される治療を患者に対して適用する過程をさらに含む、請求項1〜3のいずれか一項記載の使用法。
【請求項５】
薬学的組成物が、人工肺または体外の膜型ガス交換装置によって投与されるものである、請求項1〜4のいずれか一項記載の使用法。
【請求項６】
患者の壊死性腸炎を治療するための薬学的組成物の調製用の一酸化炭素の使用法であって、
(a)患者に手術を行って、患者の腸の患部を切除すること、および
(b)(a)の前、最中、または後に、薬学的組成物を投与すること
を特徴とする使用法。
【請求項７】
薬学的組成物が、気体状である、請求項1〜6のいずれか一項記載の使用法。
【請求項８】
薬学的組成物が液状である、請求項1〜6のいずれか一項記載の方法。
【請求項９】
患者の壊死性腸炎を治療するための薬学的組成物の調製用の一酸化炭素の使用法であって、
(a)一酸化炭素ガスを含む加圧ガスの形態の薬学的組成物の入った容器を用意すること、
(b)薬学的組成物を容器から放出して、一酸化炭素ガスを含む雰囲気を形成すること、および
(c)患者を上記雰囲気に接触さること
を特徴とする使用法。
【請求項１０】
患者がヒトである、請求項1〜9のいずれか一項記載の使用法。
【請求項１１】
医薬品等級の圧縮一酸化炭素ガスの入った容器であって、ガスを患者の壊死性腸炎の治療または予防に使用しうることを表示したラベルを有している容器。
【請求項１２】
一酸化炭素ガスが、酸素含有ガスと混合されている、請求項11記載の容器。
【請求項１３】
一酸化炭素ガスの混合物中の濃度が、少なくとも約0.025%、少なくとも約0.05％、少なくとも約0.10％、少なくとも約1.0％、または少なくとも約2.0％である、請求項12記載の容器。
【請求項１４】
一酸化炭素を有効成分として含有する、壊死性腸炎治療または予防剤。
【手続補正書】
【提出日】平成18年1月23日(2006.1.23)
【手続補正１】
【補正対象書類名】特許請求の範囲
【補正対象項目名】全文
【補正方法】変更
【補正の内容】
【特許請求の範囲】
【請求項１】
水溶液中にアシル−スクラロース化合物を含む供給混合物からスクラロースを製造するための方法であって、以下：
（ａ）該供給混合物のｐＨを約８．０〜約１２．０の範囲に調節すること；
（ｂ）遊離のスクラロースへの該アシル−スクラロース化合物の変換を行うに十分な時間、好適な温度で、該供給混合物を維持すること；
（ｃ）該維持工程についての持続時間の範囲内で該ｐＨを安定化させるに十分な量のバッファーを、該供給混合物へ添加すること； 
（ｄ）該供給混合物のｐＨを約４〜約８へ低下させること；ならびに
（ｅ）工程（ｄ）の生成物からスクラロースを回収し、それによって回収されたスクラロースを得ること、
を包含する、方法。
【請求項２】
前記ｐＨが約１０．５である、請求項１に記載の方法。
【請求項３】
前記バッファーが、アミン、アミノ酸、フェノール、無機酸、サッカリン、キサンチン、ヒドロキノン、およびそれらの混合物からなる群から選択される、請求項１に記載の方法。
【請求項４】
前記アミンが、アンモニア、アルキルアミンＲ−ＮＨ２、ジアルキルアミンＲ１Ｒ２ＮＨ、トリアルキルアミンＲ１Ｒ２Ｒ３Ｎからなる群から選択され、ここで、Ｒ、Ｒ１、Ｒ２およびＲ３は、メチル、エチル、１−プロピル、２−プロピル、ブチル、シクロヘキシル、ベンジル、ピロリジン、および２−ヒドロキシピリジンからなる群から選択される、請求項３に記載の方法。
【請求項５】
前記アミノ酸が、グリシン、アラニン、アルギニン、ジメチルグリシン、システイン、およびそれらの混合物からなる群から選択される、請求項３に記載の方法。
【請求項６】
前記フェノールが、フェノールおよびレゾルシノールからなる群から選択される、請求項３に記載の方法。
【請求項７】
前記無機酸がカーボネート(carbonate)である、請求項３に記載の方法。
【請求項８】
前記バッファーがジメチルアミンまたはジメチルアミンの塩である、請求項１に記載の方法。
【請求項９】
前記アシル−スクラロース化合物が、６−Ｏ−アシル−４，１’，６’−トリクロロ−４，１’，６’−トリデオキシガラクトスクロース化合物である、請求項１に記載の方法。
【請求項１０】
前記６−Ｏ−アシル−４，１’，６’−トリクロロ−４，１’，６’−トリデオキシガラクトスクロース化合物が、６−Ｏ−アセチル−４，１’，６’−トリクロロ−４，１’，６’−トリデオキシガラクトスクロースである、請求項９に記載の方法。
【請求項１１】
前記６−Ｏ−アシル−４，１’，６’−トリクロロ−４，１’，６’−トリデオキシガラクトスクロース化合物が、６−Ｏ−ベンゾイル−４，１’，６’−トリクロロ−４，１’，６’−トリデオキシガラクトスクロースである、請求項９に記載の方法。
【請求項１２】
前記供給混合物が実質的に第３級アミドを含まない、請求項１に記載の方法。
【請求項１３】
前記供給混合物が実質的にジメチルホルムアミドを含まない、請求項１に記載の方法。
【請求項１４】
前記回収されたスクラロースが、約２０ｐｐｍ以下の有機溶媒を含有する、請求項１に記載の方法。
【請求項１５】
前記有機溶媒が、メタノール、エタノール、メチルアセテート、トルエン、ピリジン、ＤＭＦ、ジクロロメタン、クロロホルム、およびそれらの混合物からなる群から選択される、請求項１４に記載の方法。
【請求項１６】
前記回収されたスクラロースが約７ｐｐｍ以下のメタノールを含有する、請求項１５に記載の方法。
【請求項１７】
前記回収されたスクラロースが約７ｐｐｍ以下のエタノールを含有する、請求項１５に記載の方法。
【請求項１８】
前記回収されたスクラロースが約１０ｐｐｍ以下の酢酸メチルを含有する、請求項１５に記載の方法。
【請求項１９】
前記回収されたスクラロースが約１０ｐｐｍ以下のトルエンを含有する、請求項１５に記載の方法。
【請求項２０】
前記回収されたスクラロースが約２０ｐｐｍ以下のＤＭＦを含有する、請求項１５に記載の方法。
【請求項２１】
前記回収されたスクラロースが約１０ｐｐｂ以下のジクロロメタンを含有する、請求項１５に記載の方法。
【請求項２２】
前記回収されたスクラロースが約１０ｐｐｂ以下のクロロホルムを含有する、請求項１５に記載の方法。
【手続補正書】
【提出日】平成18年3月13日(2006.3.13)
【手続補正１】
【補正対象書類名】特許請求の範囲
【補正対象項目名】全文
【補正方法】変更
【補正の内容】
【特許請求の範囲】
【請求項１】
ＺＤ６１２６またはその医薬的に許容できる塩およびＺＤ１８３９またはその医薬的に許容できる塩を、医薬的に許容できる賦形剤またはキャリヤーと共に含む医薬組成物。
【請求項２】
ＺＤ６１２６またはその医薬的に許容できる塩およびＺＤ１８３９またはその医薬的に許容できる塩を含むキット。
【請求項３】
ヒトなどの温血動物において血管破損効果の創出に用いるための医薬の製造における、ＺＤ６１２６またはその医薬的に許容できる塩およびＺＤ１８３９またはその医薬的に許容できる塩の使用。
【請求項４】
電離性放射線で処置されているヒトなどの温血動物において血管破損効果の創出に用いるための医薬の製造における、ＺＤ６１２６またはその医薬的に許容できる塩およびＺＤ１８３９またはその医薬的に許容できる塩の使用。
【請求項５】
ヒトなどの温血動物において抗癌効果の創出に用いるための医薬の製造における、ＺＤ６１２６またはその医薬的に許容できる塩およびＺＤ１８３９またはその医薬的に許容できる塩の使用。
【請求項６】
電離性放射線で処置されているヒトなどの温血動物において抗癌効果の創出に用いるための医薬の製造における、ＺＤ６１２６またはその医薬的に許容できる塩およびＺＤ１８３９またはその医薬的に許容できる塩の使用。
【請求項７】
ヒトなどの温血動物において抗腫瘍効果の創出に用いるための医薬の製造における、ＺＤ６１２６またはその医薬的に許容できる塩およびＺＤ１８３９またはその医薬的に許容できる塩の使用。
【請求項８】
電離性放射線で処置されているヒトなどの温血動物において抗腫瘍効果の創出に用いるための医薬の製造における、ＺＤ６１２６またはその医薬的に許容できる塩およびＺＤ１８３９またはその医薬的に許容できる塩の使用。
【手続補正書】
【提出日】平成18年3月16日(2006.3.16)
【手続補正１】
【補正対象書類名】特許請求の範囲
【補正対象項目名】全文
【補正方法】変更
【補正の内容】
【特許請求の範囲】
【請求項１】
下記式（Ｉ）：
【化１】
2005530729.tif 000001
で示されるＮ−デベンゾイルパクリタキセルの製造方法であって、
ａ）一般式（II）：
【化２】
2005530729.tif 000002
［式中、Ｒ１は、アリール又はヘテロアリール基である］で示されるカルボン酸、又はその塩若しくは活性化誘導体を、一般式（III）：
【化３】
2005530729.tif 000003
［式中、Ｒ２は、酸触媒の加溶媒分解により除去可能なヒドロキシ保護基である］で示されるバッカチン誘導体と縮合することにより、式（IV）：
【化４】
2005530729.tif 000004
［式中、Ｒ１及びＲ２は、上記と同義である］で示される化合物を得ること；
ｂ）酸触媒の加溶媒分解により式（IV）の化合物中のＲ２基を除去すること及びオキサゾリジン環を開環すること
を特徴とする方法。
【請求項２】
Ｒ１が、２，４−ジメトキシフェニルであり、そしてＲ２が、２−ニトロベンゼンスルフェニルである、請求項１記載の方法。
【請求項３】
工程ａ）が、縮合剤及び活性化剤の存在下で、エーテル、炭化水素、ハロゲン化炭化水素、又はその混合物から選択される有機溶媒中で、０〜９０℃の範囲の温度で行われる、請求項１又は２記載の方法。
【請求項４】
溶媒が、トルエンとジクロロメタンとの混合物であり、そして反応温度が、約７０℃である、請求項３記載の方法。
【請求項５】
化合物（III）を式（Ｖ）：
【化５】
2005530729.tif 000005
［式中、Ｒ１は、上記と同義であり、そしてＲ３、Ｒ４及びＲ５は、Ｃ１−Ｃ６アルキル、アリール又はアリールアルキル基である］で示されるアンモニウム塩と反応させる、請求項１〜４のいずれか１項記載の方法。
【請求項６】
酸素及び窒素保護基が、−２０〜５０℃の範囲の温度での、メタノール及びｐ−トルエンスルホン酸での処理により、単一工程で除去される、請求項１〜５のいずれか１項記載の方法。
【請求項７】
式（II）の化合物の製造方法であって、
ａ）式（IX）：
【化６】
2005530729.tif 000006
で示されるＮ−（２−ニトロベンゼンスルフェニル）−３−フェニルイソセリンメチルエステルの調製；
ｂ）アルデヒドジメチルアセタールで化合物（IX）を処理して式（VI）：
【化７】
2005530729.tif 000007
（式中、Ｒ１は、上記と同義である）で示される化合物を得る工程；
ｃ）式（VI）のエステルを加水分解して式（VII）：
【化８】
2005530729.tif 000008
（式中、Ｒ１は、請求の範囲１と同義であり、Ｍは、１〜２の範囲のｙ個の正電荷を持つ金属であり、そしてｎは、常にｙに等しい整数である）で示される塩を得る工程；
ｄ）式（VII）の塩を酸性化して式（II）の化合物を得る工程
を含むことを特徴とする方法。
【請求項８】
加水分解が、０〜４０℃の範囲の温度で水性アルコール性媒体中で、金属水酸化物又は金属炭酸塩を用いることによって、アルカリ媒体中で行われる、請求項７記載の方法。
【請求項９】
工程ｂ）が、化合物（IX）を２，４−ジメトキシベンズアルデヒドジメチルアセタールと一緒に、不活性有機溶媒、又は不活性有機溶媒の混合物中で、弱酸触媒の存在下で、０℃〜混合物の沸点の範囲の温度で加熱することにより行われる、請求項７記載の方法。
【請求項１０】
Ｒ３、Ｒ４及びＲ５が、エチルである、式（Ｖ）の化合物の製造方法であって、塩化トリエチルアンモニウムのメタノール溶液での、請求項７と同義の式（VII）［式中、Ｍは、好ましくはナトリウムである］の化合物の処理による方法。
【請求項１１】
７−（２−ニトロベンゼンスルフェニル）−バッカチンIII；
１３−［Ｎ−（２−ニトロベンゼンスルフェニル）−Ｎ，Ｏ−（２，４−ジメトキシベンジリデン）−３−フェニルイソセリノイル］−７−（２−ニトロベンゼンスルフェニル）−バッカチンIII；
２−（２，４−ジメトキシフェニル）−３−（２−ニトロベンゼンスルフェニル）−４−フェニル−５−オキサゾリジンカルボン酸並びにその塩及びＣ１−Ｃ３アルキルエステル、特にナトリウム及びトリエチルアンモニウム塩並びにメチルエステル；
Ｎ−（２−ニトロベンゼンスルフェニル）−３−フェニルイソセリン
から選択される化合物。